(57)【要約】【課題】火災受信機と感知器との間で伝送エラーがあるか否か等の情報を、火災受信機の設置場所に出向かなくとも事前に取得できるようにする。【解決手段】火災受信機１は、感知器回線の伝送エラーを検出する伝送エラー検出部１８と、伝送エラーの検出情報を記憶する記憶部１９と、ネットワーク接続部２０を有し、ネットワークを通じて接続してきた情報端末機３に、伝送エラーの検出情報を含ませたメンテナンス画面情報を送出するウェブサーバ部２１とを備える。【選択図】図１
2010224673.tif 000002
【特許請求の範囲】
【請求項１】
感知器回線接続部を有し、感知器回線に接続された感知器から定期的に感知データを読み出す回線制御部と、
前記感知器から読み出した感知データに基づいて火災警報を発報する発報制御部と、
前記感知器回線の伝送エラーを検出する伝送エラー検出部と、
前記伝送エラーの検出情報を記憶する記憶部と、
ネットワーク接続部を有し、ネットワークを通じて接続してきた情報端末機に、前記伝送エラーの検出情報を含ませたメンテナンス画面情報を送出するウェブサーバ部とを備えた火災受信機。
【請求項２】
請求項１において、
前記伝送エラーの検出情報は、前記伝送エラーの発生頻度である火災受信機。
【請求項３】
請求項１において、
前記伝送エラーの検出情報は、前記伝送エラーの発生回数である火災受信機。
【請求項４】
請求項２または３において、
前記ウェブサーバ部は、予め設定されたアドレス宛に電子メールを自動送信するメール送信部を備えており、前記伝送エラーの発生頻度または発生回数が所定値を上回ったときには、前記アドレス宛に、メンテナンスを促す通知メールを送信する火災受信機。
【発明の詳細な説明】
【技術分野】
【０００１】
本発明は、感知器回線接続部を有し、感知器回線に接続された感知器から定期的に感知データを読み出して、火災と判断したときには警報を出力する火災受信機の改良に関する。
【背景技術】
【０００２】
近時、以下の特許文献１にあるような火災受信機が広く普及している。この火災受信機は、感知器回線接続部を有し、そこから導出した感知器回線に、固有のアドレスを予め割り当てた感知器を接続して、ポーリングによる問い合わせをすることにより、感知データの返信を受け付け、感知データが、警報基準値あるいは汚れ基準値を超えていれば、火災警報の出力あるいは汚れの報知をするようになっている。また、付加機能として、火災受信機と感知器との通信を監視して、伝送エラーがあれば火災受信機から報知するものもある。
【先行技術文献】
【特許文献】
【０００３】
【特許文献１】特開平11-312278号公報
【発明の概要】
【発明が解決しようとする課題】
【０００４】
上記のような火災受信機では、一般に、その保守、点検をユーザではなくメンテナンス会社の係員が設置場所に出向いて行うことが多いが、火災受信機と感知器との間で伝送エラーがあるような場合は、メンテナンス会社の係員では対応が困難であるため、メーカの係員を呼んで修理等を行うことになり、対処に手間がかかるという問題があった。そこで、本発明は、メンテナンス会社の係員が、火災受信機と感知器との間で伝送エラーがあるか否か等の情報を設置場所に出向かなくとも事前に取得できる新規な構成の火災受信機を提供することを課題とする。
【課題を解決するための手段】
【０００５】
上記課題を解決するため、本発明による火災受信機は、感知器回線接続部を有し、感知器回線に接続された感知器から定期的に感知データを読み出す回線制御部と、前記感知器から読み出した感知データに基づいて火災警報を発報する発報制御部と、前記感知器回線の伝送エラーを検出する伝送エラー検出部と、前記伝送エラーの検出情報を記憶する記憶部と、ネットワーク接続部を有し、ネットワークを通じて接続してきた情報端末機に、前記伝送エラーの検出情報を含ませたメンテナンス画面情報を送出するウェブサーバ部とを備える。
【０００６】
なお、前記伝送エラーの検出情報は、前記伝送エラーの発生頻度としてもよいし、前記伝送エラーの発生回数としてもよい。
【０００７】
また、前記ウェブサーバ部は、予め設定されたアドレス宛に電子メールを自動送信するメール送信部を備えており、前記伝送エラーの発生頻度または発生回数が所定値を上回ったときには、前記アドレス宛に、メンテナンスを促す通知メールを送信する構成としてもよい。
【発明の効果】
【０００８】
本発明による火災受信機では、メンテナンス会社の係員は、情報端末機からネットワークを通じて火災受信機にアクセスすることにより、メンテナンス画面を閲覧することができる。その画面には、火災受信機と感知器との通信における伝送エラーの検出情報が含まれているので、メンテナンス会社の係員等は、伝送エラーがあるか否か等の情報を設置場所に出向かなくとも事前に取得できる。
【０００９】
伝送エラーの検出情報は伝送エラーの発生頻度とした構成では、その数値から伝送品質を直感的に知ることができる。一方、伝送エラーの検出情報は伝送エラーの発生回数とした構成では、その数値は、特定日時からの積算となるので、特別な演算処理せずに簡単な仕組みで数値を得ることができる。
【００１０】
また、伝送エラーの発生頻度または発生回数が所定値を上回ったときには、予め設定されたアドレス宛に、メンテナンスを促す通知メールを送信する構成では、外出中で火災受信機のメンテナンス画面を閲覧できない場合でも、メールにより伝送エラーの発生を知ることができるので、迅速な対処が可能になる。
【図面の簡単な説明】
【００１１】
【図１】は、実施例の基本構成を示したブロック図である。
【図２】は、実施例によって構成された火災警報システムの系統図である。
【図３】は、実施例の基本動作を示したフローチャートである。
【図４】（ａ）、（ｂ）は、階層化されたメンテナンス情報画面の例である。
【図５】（ａ）、（ｂ）は、それぞれ実施例から自動送信されるメールの例である。
【発明を実施するための形態】
【００１２】
図１に示した火災受信機１は、感知器回線を接続する感知器回線接続部１１と、感知器回線を通じて各種コマンドを伝送することで感知器２を制御する回線制御部１２と、感知器回線に接続された感知器２から読み出した感知データに基づいて火災警報を発報する発報制御部１３と、報知制御部が発報した火災警報をスピーカ１４から音声出力させる出力部１５と、図示しない操作キーを有し警報停止操作等を受け付ける操作部１６と、図示しない液晶パネル等を有し装置の作動状態等を表示する表示部１７と、感知器回線の伝送エラーを検出する伝送エラー検出部１８と、伝送エラーの検出情報を記憶する記憶部１９と、ネットワークケーブルを接続するネットワーク接続部２０と、ネットワークを通じてアクセスしてきた情報端末機３に、メンテナンス画面情報を送出するウェブサーバ部２１とを備えている。
【００１３】
図２に示すように、火災受信機１の感知器回線には、複数台の感知器２が接続されており、これらの感知器２は、火災受信機１より電力供給されて作動する。感知器２にはそれぞれ固有のＩＤが予め割り付けられており、火災受信機１は、ポーリングによって、感知器２のそれぞれから定期的に感知データを読み出す。なお、ここで感知器２として、煙濃度を検知するタイプを想定しているが、温度を検知するタイプであっても構わない。
【００１４】
また、火災受信機１はネットワークに接続されており、ネットワーク上の情報端末機３を認証した後、ホームページとして、伝送エラーの検出情報を含ませたメンテナンス画面情報を送出する。また、更に改良した例として、ウェブサーバ部２１は、予め設定されたアドレス宛に電子メールを自動送信するメール送信部２１ａを備えた構成とし、伝送エラーの発生頻度または発生回数が所定値を上回ったときには、その設定されたアドレス宛に、メンテナンスを促す通知メールを送信するようにしてもよい。なお、ここで、伝送エラーの発生頻度を所定値と比較する構成とすれば、その数値から伝送品質を直感的に知ることができる。一方、伝送エラーの発生回数を所定値と比較する構成とすれば、その数値は、特定日時からの積算となるので、特別な演算処理せずに簡単な仕組みで数値を得ることができる。
【００１５】
本発明によれば、このように情報端末機３からネットワークを通じて火災受信機１にアクセスすることにより、メンテナンス画面を閲覧することができる。このメンテナンス画面には、火災受信機１と感知器２との通信における伝送エラーの検出情報が含まれているので、メンテナンス会社の係員等は、伝送エラーがあるか否か等の情報を火災受信機１の設置場所に出向かなくとも事前に取得できる。
【００１６】
また、予め設定されたアドレス宛に、メンテナンスを促す通知メールを送信する構成では、外出中で火災受信機１のメンテナンス画面を閲覧できない場合でも、メールにより伝送エラーの発生を知ることができるので、迅速な対処が可能になる。
【００１７】
次いで、火災受信機１の基本動作を説明する。
火災受信機１は、ポーリングによって、感知器２のそれぞれから状態情報を読み出す。その状態情報には、感知データ、汚れ通知等が含まれている。感知データは、読み出す毎に閾値と比較し、閾値を上回っていれば日時情報と共に蓄積処理し、その蓄積結果に基づいて、出力部１５および表示部から火災警報を出力する。具体的には、所定時間内に所定回数以上、閾値を上回った感知データを受信したことを条件として、火災警報を出力してもよい。
【００１８】
なお、火災警報を出力開始した後は、操作部１６で警報停止操作を受け付けるまで、警報の出力を継続する。また、汚れ通知は、日時情報と共に蓄積処理すると共に、蓄積結果に基づいて、表示部１７から汚れを報知する。
【００１９】
また、ポーリングで、特定の感知器２が応答しない等の伝送エラーを検出したときには、日時情報と共に蓄積処理し、その蓄積結果に基づいて、表示部１７から伝送エラーを報知する。
【００２０】
図３のフローチャートは、火災受信機１の本発明に係る基本的な動作を示したものである。この基本動作では、火災受信機１は、ポーリングによって、感知器２を選択し、そこから状態情報を読み出している（ステップ１０１、１０２）。
【００２１】
ここで読み出しが成功すれば、状態情報に汚れ通知が含まれているか否かを判断し、含まれていれば、汚れ通知を蓄積処理して、その頻度を算出する。一方、読み出しに失敗した場合は、伝送エラーを蓄積処理して、その頻度を算出する（ステップ１０３〜１０８）。
【００２２】
その後、汚れの頻度あるいは伝送エラーの頻度が、それぞれに対して予め設定された所定値を上回っているか否かを判断し、いずれかあるいは両方が所定値を上回った場合には、表示部から報知すると共に、メンテナンス画面情報を更新する（ステップ１０９〜１１１）。
【００２３】
次いで、ネットワークを通じて情報端末機３が接続してきているかを判断し、接続してきれば、メンテナンス画面情報をその情報端末機３に送出する（ステップ１１２、１１３）。
【００２４】
最後に、ポーリングで全ての感知器２を選択したか否かを判断して、まだ全ての感知器２を選択していなければ、感知器２の選択動作に戻る（ステップ１１４）。
【００２５】
図４に示したメンテナンス画面は、ホームページとして構成されており、トップメニュー画面（ｂ）と、感知器ステータス画面（ｂ）とに階層化されている。
【００２６】
トップメニュー画面（ａ）は、予め設定された管理者名と、パスワードとの入力によるログインが成功した後に表示されるもので、枠内の「０Ａ０１」は、火災受信機１のシリアルコードである。この画面には、下位階層の画面を選択するリンクとして、「１．発報履歴」と「２．感知器ステータス」等が配置されている。これらのリンクは、クリックすると、表示がトップメニュー画面から対応した画面に切り替わるようになっている。
【００２７】
感知器ステータス画面（ｂ）では、感知器２毎に、感知データとして発報レベルを読み取った回数、汚れ通知を読み取った回数、および通信エラーを検出した回数が一覧表示されている。なお、「トップメニュー」は、トップメニュー画面に戻るためのリンクであり、「＜」、「＞」ボタンは、感知器２の一覧表を前後にページ送りするためのものである。また、「初期化」ボタンは、発報レベルを読み取った回数、汚れ通知を読み取った回数、通信エラーを検出した回数をリセットして「０」に戻すためのものである。
【００２８】
図５（ａ）、（ｂ）にそれぞれ示したメンテナンスを促す通知メールは、ウェブサーバ部２１に予め設定されたメールアドレス宛に、伝送エラーあるいは汚れの発生頻度または発生回数が所定値を上回ったときに自動的に送信される。宛先は、通知メールの種別毎に設定できることが望ましい。
【００２９】
図５（ａ）は、伝送エラーの通知メールで、火災受信機１のシリアルコード「０Ａ０１」、感知器２のＩＤ「００４０」、および伝送エラーが発生した旨のメッセージが含まれている。
また、図５（ｂ）は、汚れの通知メールで、火災受信機１のシリアルコード「０Ａ０１」、感知器２のＩＤ「００４０」、および汚れが発生した旨のメッセージが含まれている。
【符号の説明】
【００３０】
１      火災受信機
２      感知器
３      情報端末機
１１    感知器回線接続部
１２    回線制御部
１３    発報制御部
１８    伝送エラー検出部
１９    記憶部
２１    ウェブサーバ部
２１ａ  メール送信部
【図１】
2010224673.tif 000003
【図２】
2010224673.tif 000004
【図３】
2010224673.tif 000005
【図４】
2010224673.tif 000006
【図５】
2010224673.tif 000007